(57)【特許請求の範囲】
【請求項１】
壁勝ち工法によって構築された、間仕切り壁及び該間仕切り壁に端縁部が支持された状態で該間仕切り壁の両側に配置された２つの天井を備える建物において、
前記２つの天井に手を加えることなく前記間仕切壁を撤去する工程と、
前記２つの天井を連結するための前記間仕切り壁の撤去によって形成された隙間から天井裏空間に連結材を挿入し、前記連結材に対して前記２つの天井を固定具によって下方から固定して、前記間仕切り壁の撤去によって分離された前記２つの天井をその裏面側で連結する工程と、
前記隙間を塞ぐ隙間閉塞部材を、前記連結材を下地として固定する工程と、を含むこと、
を特徴とする間仕切壁を撤去し天井を修復する方法。
【請求項２】
前記隙間を塞ぐ隙間閉塞部材を、前記連結材を下地として固定する工程において、
前記隙間閉塞部材を２つの天井の表面から突出させ、
前記隙間を塞ぐ第１の隙間閉塞部材を、前記連結材を下地として固定する工程の後、
前記２つの天井の端縁部を覆う第２の隙間閉塞部材を、前記第１の隙間閉塞部材の側面に固定したことを特徴とする請求項１に記載の方法。
【請求項３】
前記２つの天井の表面には段差があり、
前記隙間を塞ぐ隙間閉塞部材を、前記連結材を下地として固定する工程において、前記隙間閉塞部材を前記２つの天井の表面から突出させたことを特徴とする請求項１に記載の方法。
【請求項４】
壁勝ち工法によって構築された、間仕切り壁及び該間仕切り壁に端縁部が支持された状態で該間仕切り壁の両側に配置された２つの天井を備える建物から前記間仕切壁を撤去した後の天井構造において、
前記間仕切り壁の撤去によって分離された前記２つの天井をその裏面側で連結する連結材と、
前記間仕切り壁の撤去によって形成された隙間を塞ぐ隙間閉塞部材と、を備え、
前記連結材に対して前記２つの天井が固定具によって下方から固定されたこと、
を特徴とする天井構造。
【請求項５】
前記隙間閉塞部材を２つの天井の表面から突出させ、
前記隙間を塞ぐ第１の隙間閉塞部材を、前記連結材を下地として固定し、
前記２つの天井の端縁部を覆う第２の隙間閉塞部材を、前記第１の隙間閉塞部材の側面に固定したことを特徴とする請求項４に記載の天井構造。
【請求項６】
前記２つの天井の表面には段差があり、
前記隙間閉塞部材を前記２つの天井の表面から突出させたことを特徴とする請求項４に記載の天井構造。
【発明の詳細な説明】
【技術分野】
【０００１】
本発明は、壁勝ち工法で構築された間仕切壁を撤去し天井を修復する方法、および、間仕切壁の撤去後の天井構造に関する。
【背景技術】
【０００２】
従来、間仕切壁と天井の構成方法には、天井勝ち工法および壁勝ち工法が知られている。天井勝ち工法とは、天井を先に施工した後に間仕切壁を構築する工法であり、間仕切壁の上端が天井の下にある構造となっている。一方、壁勝ち工法とは、間仕切壁を天井に先行して天井よりも高い位置まで立ち上げた後に（少なくとも間仕切壁の骨格となる下地材が立ち上がっていればよい）、間仕切壁で端縁部が支持されるように天井を施工する工法であり、間仕切壁の上端が天井を貫通する構造となっている。
【０００３】
天井勝ち工法および壁勝ち工法によって構築された既存建物に対して、２つの空間（部屋）を仕切る間仕切り壁を撤去して一つの大空間を形成するようなリフォーム工事を行う場合を想定して、様々な方法が提案されている。例えば、特許文献１および特許文献２には、天井勝ち工法によって構築された既存建物の間仕切りの改装を容易にする間仕切り構造および間仕切りの改装方法が記載されている。また、特許文献３には、将来、壁勝ち工法によって構築された既存建物をリフォームする際に間仕切壁の解体を最小限の工事で実施し得るように構成した壁と天井の接続構造および組立工法が記載されている。
【先行技術文献】
【特許文献】
【０００４】
【特許文献１】特開２００１−２００６０５号公報
【特許文献２】特開２０００−００８５１８号公報
【特許文献３】特開２０００−１４４９８９号公報
【発明の概要】
【発明が解決しようとする課題】
【０００５】
しかしながら、リフォームを想定していなかった壁勝ち工法によって構築された既存建物を改装する場合、天井の一辺を支持していた間仕切り壁が撤去されることで、撤去した間仕切壁の近傍で天井が垂れ下がりやすくなるという問題があった。また、間仕切壁で仕切られていた２つの空間の天井面の高さが違っている場合には、連続した平坦な天井面が形成されないという問題もあった。そのため、壁勝ち工法によって構築された既存建物を改装する場合、間仕切壁を撤去するだけでなく、天井についても完全に撤去した上で、改めて新たな天井を施工することが必要であり、大量の廃材が発生するという問題があった。
【０００６】
本発明は、上記に鑑みてなされたものであって、リフォーム工事の際に、天井を撤去することなく天井の垂れ下がりや天井面の段差の問題を解消することで、リフォーム工事で発生する廃材を削減することを可能とする間仕切壁を撤去し天井を修復する方法、および、間仕切壁の撤去後の天井構造を提供することを目的とする。
【課題を解決するための手段】
【０００７】
上述した課題を解決し、目的を達成するために、本発明は、壁勝ち工法によって構築された、間仕切り壁及び該間仕切り壁に端縁部が支持された状態で該間仕切り壁の両側に配置された２つの天井を備える建物において、前記２つの天井に手を加えることなく前記間仕切壁を撤去する工程と、前記２つの天井を連結するための前記間仕切り壁の撤去によって形成された隙間から天井裏空間に連結材を挿入し、前記連結材に対して前記２つの天井を固定具によって下方から固定して、前記間仕切り壁の撤去によって分離された前記２つの天井をその裏面側で連結する工程と、前記隙間を塞ぐ隙間閉塞部材を、前記連結材を下地として固定する工程と、を含むこと、を特徴とする。
【０００８】
また、本発明は、壁勝ち工法によって構築された、間仕切り壁及び該間仕切り壁に端縁部が支持された状態で該間仕切り壁の両側に配置された２つの天井を備える建物から前記間仕切壁を撤去した後の天井構造において、前記間仕切り壁の撤去によって分離された前記２つの天井をその裏面側で連結する連結材と、前記間仕切り壁の撤去によって形成された隙間を塞ぐ隙間閉塞部材と、を備え、前記連結材に対して前記２つの天井が固定具によって下方から固定されたこと、を特徴とする。
【発明の効果】
【０００９】
本発明によれば、間仕切壁が撤去されたことにより間仕切壁で支持されなくなった天井の補強を天井に手を加えることなく行うことで天井の垂れ下がりが防止できるので、天井の撤去作業をなくしリフォーム工事で発生する廃材の削減をすることができる。
【００１０】
また、本発明によれば、２つの天井面に段差がある場合でも、天井の補強をすることができ、さらに、隙間閉塞部材を天井面から突出する構成にすることにより、その段差を目立たなくすることができるので、天井の撤去作業をなくすことができる。
【００１１】
また、本発明によれば、天井の撤去作業や新たな天井を構成する材料の調達及びその施工をなくすことができるので、リフォームにかかる費用を削減することもできる。
【図面の簡単な説明】
【００１２】
【図１】本発明の第１の実施の形態にかかる間仕切壁の撤去後の天井構造を示す断面図である。
【図２−１】本実施の形態にかかる天井修復方法を説明する図である。
【図２−２】本実施の形態にかかる天井修復方法を説明する図である。
【図２−３】本実施の形態にかかる天井修復方法を説明する図である。
【図２−４】本実施の形態にかかる天井修復方法を説明する図である。
【図２−５】本実施の形態にかかる天井修復方法を説明する図である。
【図２−６】本実施の形態にかかる天井修復方法を説明する図である。
【図３】連結材としてＺ型の鉄材を使用した場合の、天井と連結材の接続部分の断面を示す図である。
【図４】本発明の第２の実施の形態にかかる間仕切壁の撤去後の天井構造を示す断面図である。
【図５−１】本実施の形態にかかる天井修復方法を説明する図である。
【図５−２】本実施の形態にかかる天井修復方法を説明する図である。
【図５−３】本実施の形態にかかる天井修復方法を説明する図である。
【図５−４】本実施の形態にかかる天井修復方法を説明する図である。
【図５−５】本実施の形態にかかる天井修復方法を説明する図である。
【図５−６】本実施の形態にかかる天井修復方法を説明する図である。
【図５−７】本実施の形態にかかる天井修復方法を説明する図である。
【図５−８】本実施の形態にかかる天井修復方法を説明する図である。
【図６】連結材としてＺ型の鉄材を使用した場合の、天井、木パッキン、および、連結材の接続部分の断面を示す図である。
【発明を実施するための形態】
【００１３】
以下に添付図面を参照して、この発明にかかる天井修復方法、および、天井構造の最良な実施の形態を詳細に説明する。
【００１４】
（第１の実施の形態）
図１は、本発明の第１の実施の形態にかかる間仕切壁の撤去後の天井構造を示す断面図である。なお、本実施の形態にかかる建物は、鉄骨造の軸組を有する工業化住宅であり、床、屋根、および、外壁等はＡＬＣパネル（軽量気泡コンクリートパネル）で形成されている。
【００１５】
天井１は、格子状に組まれた野縁（下地材）２、および、野縁２を下地として釘、ビス等の固定具（図示せず）により固定された石膏ボード３で構成されている。天井１の上面には、連結材（補強材）４が釘、ビス等の固定具５により固定されており、さらに、連結材４は、木パッキン６を間に挟んで固定具５により梁７の下フランジに固定されている。なお、連結材４には、木材やＺ型の鉄材等が使用される。以後、本実施の形態では、梁７を撤去された間仕切壁１０に代わって天井１を支持する天井支持体として説明するが、天井支持体としては、梁に限られず、吊木受け、上階の床、上階の根太等を使用することが可能である。
【００１６】
２つの天井１の間の隙間部分、すなわち、間仕切壁が撤去された部分には、天井１と面一となるように隙間閉塞部材８が埋め込まれ、固定具５により連結材４に固定されている。なお、隙間閉塞部材８には、木材等が使用される。そして、天井１の石膏ボード３に糊付けされていた既存のビニールクロスが全て剥がされた後、新たなビニールクロス９が天井１及び隙間閉塞部材を覆うように糊付けされて連続的で平坦な天井面が形成されている。
【００１７】
このような構造を有することにより、間仕切壁が撤去されて部分的に支持されなくなった天井１が、連結材４および木パッキン６を介して梁７で支持される。
【００１８】
（天井の修復方法）
次に、本実施の形態にかかる天井修復方法について説明する。図２−１〜図２−６は、本実施の形態にかかる天井修復方法を説明する図である。なお、図２−１〜図２−６は、図１と同じく、天井修復部を断面から見た図である。
【００１９】
図２−１は、間仕切壁が撤去される前の天井構造を示す。なお、この段階の天井１の石膏ボード３の下面には、ビニールクロス（図示せず）が糊付けされている。間仕切壁１０は、壁勝ち工法で構築されている。そして、間仕切壁１０は、木下地１１、木下地１１に対し釘とめされた石膏ボード１２、および、石膏ボード１２に糊付けされたビニールクロス（図示せず）で構成されている。さらに、木下地１１は、床のＡＬＣパネルに固定された地つなぎ、地つなぎの上に所定のピッチで立設された間柱１３、間柱１３の上端面をつなぐ頭つなぎ１４、および、間柱１３の両面に水平方向に複数段取り付けられた胴縁で構成されている。
【００２０】
また、間仕切壁１０の木下地１１の上端は、天井１の野縁２よりも高くなるように構築されている（すなわち壁勝ちの納まりとなっている）。野縁２は、その中間部がＨ形鋼からなる２階梁の下フランジに架け渡された吊木受けから垂下した吊木により支持され、その端部が間仕切壁１０の木下地１１に固定、支持されている。
【００２１】
天井を修復する場合、最初に、間仕切壁１０を解体する。間仕切壁１０は、間仕切壁１０を固定する釘やビス等を取り外せば、容易に各部材に分解することができる。図２−２は、間仕切壁１０が撤去された後の天井構造を示す。
【００２２】
次に、分断されている２つの天井１を連結するため、間仕切壁１０の撤去により形成された隙間から天井裏に連結材４を挿入し、分断されている２つの天井１のそれぞれの野縁２に架け渡して固定具５で固定する。図２−３は、連結材４が固定された後の天井構造を示す。なお、本図では、連結材４として木材を使用している。これに対して、図３は、連結材４としてＺ型の鉄材を使用した場合の、天井１と連結材４の接続部分の断面を示す図である。この場合、天井１とＺ型の鉄材のスチフナ部とを固定具５で固定する。
【００２３】
次に、天井１の垂れ下がりを防止するために、連結材４と梁７の間の隙間を埋めるように、厚さが調整された木パッキン６を梁７と連結材４の間に差し込む。そして、連結材４および木パッキン６を固定具５で梁７の下フランジに同時に固定する。図２−４は、連結材４および木パッキン６が梁７に固定された後の天井構造を示す。なお、隙間調整部材８の厚みと梁７の下フランジから天井１（野縁２）の上面までの離間寸法が一致する場合、木パッキン６は不要である。
【００２４】
次に、２つの天井１の間の隙間部分、すなわち、間仕切壁１０が撤去された部分に、連結材４を下地として隙間閉塞部材８を、固定具５で取り付ける。この時、取り付け後の隙間閉塞部材８の下面が、天井１の下面と同一となるように、あらかじめ隙間閉塞部材８の厚さを調整しておく。図２−５は、隙間閉塞部材８が連結材４に固定された後の天井構造を示す。
【００２５】
最後に、天井１の石膏ボード３に糊付けされていた既存のビニールクロスを全て剥し、天井１と隙間閉塞部材８との継ぎ目をパテ処理した後、新たなビニールクロス９を天井１及び隙間閉塞部材を覆うように糊付けすることで、天井の修復が終了する。図２−６は、ビニールクロス９が糊付けされた後の天井構造を示す。この結果、連続的で平坦な天井面が形成される。
【００２６】
このように、第１の実施の形態にかかる天井修復方法、および、天井構造によれば、間仕切壁が撤去され部分的に支持されなくなった天井の補強を、天井に手を加えることなく行うことができるので、天井の撤去作業をなくすことができるという効果を奏する。そして、リフォームにかかる費用を削減するとともに、リフォーム工事で発生する廃材を削減することができるという効果を奏する。
【００２７】
（第２の実施の形態）
第２の実施の形態では、撤去される間仕切壁の両側に残存させる２つの天井面に段差がある場合の天井修復方法、および、天井構造について説明する。第２の実施の形態について、添付図面を参照して説明するが、本実施の形態にかかる天井構造の構成について、第１の実施の形態と異なる部分のみを説明する。他の部分については第１の実施の形態と同様であるので、同一の符号が付された箇所については、上述した説明を参照し、ここでの説明を省略する。
【００２８】
図４は、本発明の第２の実施の形態にかかる間仕切壁の撤去後の天井構造を示す断面図である。なお、本実施の形態にかかる建物は、鉄骨造の軸組を有する工業化住宅であり、床、屋根、および、外壁等はＡＬＣパネル（軽量気泡コンクリートパネル）で形成されている。
【００２９】
天井１は、野縁２、石膏ボード３、および、石膏ボード３の下面に糊付けされたビニールクロス（図示せず）で構成されている。また、天井１’は、天井１と同じ構成のものであるが、天井１に対して低い位置に構築されている。従って、天井１’と天井１では、段差Ａが生じている。天井１の上面には、連結材４が固定具５により固定されている。一方、天井１’は、段差Ａの寸法に等しい厚さ寸法を有する木パッキン１５を間に挟んで、固定具５により連結材４に固定されている。さらに、連結材４は、木パッキン６を間に挟んで、固定具５により梁７に固定されている。
【００３０】
天井１と天井１’の隙間部分、すなわち、間仕切壁１０が撤去された部分には、下地材１６が埋め込まれ、固定具５により連結材４に固定されている。なお、下地材１６には、木材等が使用される。そして、表面が塗装処理された化粧木枠（第１の隙間閉塞部材）１７が、下地材１６に対して固定具５により固定されている。この時、化粧木枠１７は、その下面が、天井１および天井１’の下面より下側に突出するような厚さを有する。
【００３１】
そして、表面が化粧木枠１７と同様に塗装処理された廻縁（第２の隙間閉塞部材）１８が、天井１の下面と化粧木枠１７の側面に接触するように化粧釘（頭部が化粧木枠１７、廻縁１８、廻縁１８’と同系色に塗装処理された釘、図示せず）によって固定されている。一方、表面が化粧木枠１７と同様に塗装処理された廻縁（第２の隙間閉塞部材）１８’が、天井１’の下面と化粧木枠１７の側面に接触するように化粧釘（図示せず）によって固定されている。そして、廻縁１８、廻縁１８’によって天井１および天井１’の端縁部が覆われている。また、固定具頭隠し材１９が、化粧木枠１７を下地材１６に固定している固定具５の頭が露出している部分を覆うように化粧釘（図示せず）によって固定されている。
【００３２】
このような構造によれば、間仕切壁が撤去され部分的に支持されなくなった天井１と天井１’が、連結材４、木パッキン６、および、木パッキン１５を介して梁７に支持されるので垂れ下がることがない。また、化粧木枠１７が、間仕切壁１０が撤去された部分を天井１および天井１’の下面より下側に突出するように覆っているため、天井１と天井１’の間に段差が存在することを目立たなくすることができる。さらに、天井１および天井１’と化粧木枠１７の境界に、廻縁１８および廻縁１８’が固定されているので、天井１および天井１’と化粧木枠１７との間のわずかな隙間が完全に塞がれるとともに、破損しやすい天井１および天井１’の端縁部が覆われて、修復部を美しく仕上げることができる。
【００３３】
（天井の修復方法）
次に、本実施の形態にかかる天井修復方法について説明する。図５−１〜図５−８は、本実施の形態にかかる天井修復方法を説明する図である。なお、図５−１〜図５−８は、図４と同じく、天井修復部を断面から見た図である。
【００３４】
図５−１は、間仕切壁が撤去される前の天井構造を示す。間仕切壁１０は、木下地１１、石膏ボード１２、および、ビニールクロス（図示せず）で構成されている。さらに、木下地１１は、地つなぎ、間柱１３、頭つなぎ１４、および、胴縁で構成されている。
【００３５】
天井を修復する場合、最初に、間仕切壁１０を解体する。図５−２は、間仕切壁１０が撤去された後の天井構造を示す。この時、天井１’が天井１に対して低い位置に構築されているため、段差Ａが生じていることがわかる。
【００３６】
次に、分断されている２つの天井１を連結するため、間仕切壁１０の撤去により形成された隙間から天井裏に連結材４を挿入し、分断されている天井１および天井１’のそれぞれの野縁２に架け渡す。そして、天井１と連結材４を固定具５で固定する。図５−３は、天井１に連結材４が固定された後の天井構造を示す。
【００３７】
次に、天井１’と連結材４の間に、天井１’と連結材４の間の隙間を埋めるように、厚さが調整された木パッキン１５を天井１’と連結材４の間に差し込む。そして、天井１’、木パッキン１５、および、連結材４を固定具５で同時に固定する。図５−４は、天井１’に連結材４が固定された後の天井構造を示す。なお、本図では、連結材４として木材を使用している。これに対して、図６は、連結材４としてＺ型の鉄材を使用した場合の、天井１’、 木パッキン１５、および、連結材４の接続部分の断面を示す図である。この場合、天井１’とＺ型の鉄材のスチフナ部とを、木パッキン１５を介して固定具５で固定している。
【００３８】
次に、天井１と天井１’の垂れ下がりを防止するために、連結材４と梁７の間の隙間を埋めるように、厚さが調整された木パッキン６を梁７と連結材４の間に差し込む。そして、連結材４、木パッキン６、および、梁７を固定具５で同時に固定する。図５−５は、連結材４および木パッキン６が梁７に固定された後の天井構造を示す。
【００３９】
次に、天井１と天井１’との隙間部分、すなわち、間仕切壁１０が撤去された部分に、連結材４を下地として下地材１６を、固定具５で取り付ける。図５−６は、下地材１６が連結材４に固定された後の天井構造を示す。
【００４０】
次に、化粧木枠１７を、下地材１６に固定具５で取り付ける。この時、化粧木枠１７は、その面積が下地材１６の下面全体を覆い、取り付け後の化粧木枠１７の下面が、天井１および天井１’の下面より下側に突出するような形状とする。図５−７は、化粧木枠１７が下地材１６に固定された後の天井構造を示す。
【００４１】
次に、廻縁１８を、天井１の下面と化粧木枠１７の側面に接触するように化粧釘で固定し、廻縁１８’を、天井１’の下面と化粧木枠１７の側面に接触するように化粧釘で固定する。最後に、固定具頭隠し材１９を、化粧木枠１７を下地材１６に固定している固定具５の頭が露出している部分を覆うように化粧釘で固定する。図５−８は、廻縁１８、廻縁１８’、および、固定具頭隠し材１９が固定された後の天井構造を示す。この結果、天井１と天井１’の段差部分が目立たなくなり、２つの天井面を一体化させることができる。
【００４２】
このように、第２の実施の形態にかかる天井修復方法、および、天井構造によれば、２つの天井面に段差がある場合でも、天井の補強をすることができ、さらに、隙間閉塞部材を天井面から突出する構成にすることにより、その段差を目立たなくすることができるので、天井の撤去作業をなくすことができるという効果を奏する。そして、天井の撤去作業をなくすことができるので、リフォームにかかる費用を削減するとともに、リフォーム工事で発生する廃材を削減することができるという効果を奏する。
【産業上の利用可能性】
【００４３】
本発明は、鉄骨造の建物に限らず、天井や間仕切壁が構造体とは分離されており、それらが壁勝ち工法にて構築された木造やＲＣ造の建物にも適用することができる。
【符号の説明】
【００４４】
１、１’  天井
２  野縁
３  石膏ボード
４  連結材
５  固定具
６、１５  木パッキン
７  梁
８  隙間閉塞部材
９  ビニールクロス
１０  間仕切壁
１１  木下地
１２  石膏ボード
１３  間柱
１４  頭つなぎ
１６  下地材
１７  化粧木枠（第１の隙間閉塞部材）
１８、１８’  廻縁（第２の隙間閉塞部材）
１９  固定具頭隠し材
【図１】
0005646316.tif 000002
【図２−１】
0005646316.tif 000003
【図２−２】
0005646316.tif 000004
【図２−３】
0005646316.tif 000005
【図２−４】
0005646316.tif 000006
【図２−５】
0005646316.tif 000007
【図２−６】
0005646316.tif 000008
【図３】
0005646316.tif 000009
【図４】
0005646316.tif 000010
【図５−１】
0005646316.tif 000011
【図５−２】
0005646316.tif 000012
【図５−３】
0005646316.tif 000013
【図５−４】
0005646316.tif 000014
【図５−５】
0005646316.tif 000015
【図５−６】
0005646316.tif 000016
【図５−７】
0005646316.tif 000017
【図５−８】
0005646316.tif 000018
【図６】
0005646316.tif 000019